(57)【要約】      （修正有）【課題】自動噴射・自動排水方式のトイレであっても確実に検便をおこなうことができる検便具を提供する。【解決手段】便座６の間に、便２を乗せるためのリパルパブルな材料でできている検便シート１０を貼り付けるため、検便シートに接着部１０Ａ、１０Ｂを設けている。【選択図】図３
2020060577.tif 000002
【特許請求の範囲】
【請求項１】
便器の便座間に、所定の幅を持ち、その両端に便を検便するための水溶性のシートを張り、その両端には便座間に該シートを貼り付けるための接着部を設けたことを特徴とする検便具。
【発明の詳細な説明】
【技術分野】
【０００１】
本発明は、検便時に便を確実に検便することができる検便具に関する。
【背景技術】
【０００２】
検便をする時には、容器に便を少量検便して入れて、検査機関に提出する必要がある。昔は、マッチ箱に便をいれて提出したが、検便するのが大変であった。和式トイレ及び洋式トイレの場合、トイレの底面に直に或いはトイレットペーパーを拡げて、そこに便を落とし、検査棒で便をつついて少量検便し、これを専用の容器に入れるようになっている。残りの便は水で流していた。
【０００３】
図１は検便方法の従来例を示す図である。１は便器、２は便である。通常は便器１の中に直に便を落とすか、或いは便器の上にトイレットペーパーを敷き、その上に便を乗せるようにする。２は便、３は便２をつついて検査用の少量の便を検便する検査棒である。検査棒３としては、例えば爪楊枝状のものが用いられる。
【０００４】
便器には和式と洋式とがあり、和式はその上にしゃがんで用を足すものであり、洋式は便座（図示せず）を介して椅子に座る要領で座り、用を足すものである。図２は洋式トイレの使用状態を示す図である。（Ａ）は便器に座った状態を示す。便器１に椅子に座る要領で座り、便２を出す。２０はお尻、２５は排水管である。用を足したら、レバーを操作するか押釦スイッチを押して水を出し水洗して便を流すようになっている。水を流すと、（Ｂ）に示すように、排水管２５から便２が押し流される。
【０００５】
ウォッシュトイレでは、用を足したら、お尻に噴射部を自動で位置決めし、自動で水又はお湯を噴射してお尻をきれいにするものである。この種のものは通常は水を流す時には、操作部（レバー又は押釦ボタン）を操作している。近年、この水洗工程も自動化し、便座から立ち上がると、自動で水が流れるものもある。
【０００６】
【発明の概要】
【発明が解決しようとする課題】
【０００７】
従来の便器では、便を検便した後、水を流せばよい。
この便を検便する時、従来の方法では、先に説明したように、便器の内側に直に或いはトイレットペーパー等のシートを敷き、その上に便を乗せる。検便作業が終了したら、水を流せばよい。シートと便２は排水管の中に流し込まれる。
近年、前述したようにトイレの近代化がすすみ、お尻にお湯を噴射してお尻の汚れを自動的にとるウォッシュトイレが用いられるようになってきている。
【０００８】
更には、トイレの自動化が進み、用足しが終わって便座から立ち上がると、そのことを検出して、自動的に水が流れるようになったものも使用されるようになってきた。この方式だと、まだ検便を終えていないのに水が流れてしまう。従って、便も流れてしまい、検便ができない。
本発明はこのような課題に鑑みてなされたものであって、このような自動噴射・自動排水方式のトイレであっても確実に検便をおこなうことができる検便具を提供することを目的としている。
【課題を解決するための手段】
【０００９】
このような課題を解決する本発明は、便器の便座間に、所定幅であって、その両端に便を検便するための水溶性のシートを張り、その両端には便座間に該シートを貼り付けるための接着部を設けたことを特徴としている。
【発明の効果】
【００１０】
水溶性のシートを便座間に貼り付けておく。使用者が立ち上がっても、このシートは便座間に貼り付けられているので、自動的に噴射される水もシートの高さまでは届かない。従って、シートに便を落としておき、その状態で検便操作を行うことができる。検便作業が終了したら、シートをはがして便器内に落とし、その後強制的に水を流せばよい。シートはリパルパブル（水溶性）なので水に溶ける。このように、本発明によれば、自動噴射・自動排水方式のトイレであっても確実に検便をおこなうことができる検便具を提供することができる。
【図面の簡単な説明】
【００１１】
【図１】検便の様子を示す図
【図２】洋式トイレの使用説明図
【図３】本発明による検便時の使用状態を示す図
【図４】本発明の検便シートの構成例を示す図
【図５】本発明の検便シートの断面形状を示す図
【図６】便を排水処理する時の様子を示す図である。
【発明を実施するための形態】
【００１２】
以下、図面を参照して本発明の実施例を詳細に説明する。図３は本発明の検便時の使用状態を示す図である。図１，図２と同一のものは、同一の符号を付して示す。図において、１は便器、６は便座である。７は便器内の水、２０はお尻である。１０は本発明にかかる検便シートである。該検便シート１０はリパルパブル（水溶性）な材料でできている。具体的には例えば、トイレットペーパーと同じ材質のものが用いられる。１０Ａ，１０Ｂは検便シート１０を便座６に貼り付ける接着部である。検便シート１０と接着部１０Ａ，１０Ｂの詳細については後述する。
【００１３】
Ｌは排水時の水面、Ｈは便器１の底から水面Ｌまでの高さ、ｈは水面Ｌから便２までの高さである。排水時において、水面Ｌから便２まではｈだけはなれているので、便２に水がかかることはない。従って、検便ができることになる。
この状態で検便作業を行う。便が検便できたら、シートを剥がして便器に落とし便器に付属の流しボタン（図示せず）を押して、便を流し排出させる。本発明によれば、自動噴射・自動排水方式のトイレであっても確実に検便を行うことができる検便具を提供することができる。
【００１４】
図４は本発明の検便シートの構成例を示す図である。（Ｃ）は検便シート１０の平面図である。そして、このシート１０の幅Ｗは便２を安定に乗せられるように、十分な幅を持つ必要がある。この幅Ｗとしては、例えば５０ｍｍ程度のものが用いられる。
【００１５】
１０Ａ，１０Ｂは検便シート１０の両側に設けられた接着部である。この接着部１０Ａ，１０Ｂを断面で示すと、（Ａ），（Ｂ）に示すようなものとなる。この貼り付け部１０Ａ，１０Ｂは（Ａ）に示すようにライナー１０ａとリパルパブル接着層１０ｂから構成されている。使用の実際に当たっては、図４の（Ｂ）に示すように、ライナー１０ａを剥がす。
すると、リパルパブル接着層１０ｂが表れるので、この接着層１０ｂを便座６に貼り付ける。この結果、図４の（Ｃ）に示すように、便座間に検便シート１０が貼られることになる。後は、このシート１０の上に便が乗るようにする。すると、便２の重みでシート１０がたわみ、図３に示すようなものとなる。この便２が乗った状態でも、その便の底が水７の水面Ｌよりも高い状態にあれば、つまり、ｈが所定の距離あれば便２が水で濡れることはない。なお、検便シート１０は、接着部１０Ａ，１０Ｂとそれ以外の部分を含む概念である。
【００１６】
次に、接着部１０Ａ，１０Ｂの詳細をその断面形状で説明する。本発明で用いるリパルパブルシートは２種類ある。（Ａ）は複層のものを、（Ｂ）は単層のものをそれぞれ示している。（Ａ）において、３０は接着力のないリパルパブルシート、３１は該リパルパブルシート３０の上部に設けられた第１の接着層、３２は該第１の接着層３１の上部に設けられた非接着層、３３は非接着層３２の上部に設けられた第２の接着層である。第１及び第２の接着層３１，３３で非接着層３２を挟んだ格好になっている。構成部３４と３５はライナーであり、３４は第２の接着層３３の上部に設けられたリリースコート、３５は該リリースコート３４の上部に設けられたリリースライナーである。構成部３０〜３３で図４の１０ｂに対応し、構成部３４，３５で図４の１０ａに対応している。
【００１７】
（Ｂ）において、（Ａ）と同一のものは同一の符号を付して示す。（Ｂ）において、３０はリパルパブルシート、３６は該リパルパブルシート３０の上に設けられた単層の接着層である。３４は接着層３６の上部に設けられたリリースコート、３５は該リリースコート３４の上部に設けられたリリースライナーである。構成部３６は図４の１０ｂに対応し、構成部３４，３５で図４の１０ａに対応している。これら接着部１０Ａ，１０Ｂはいずれも水に溶けるリパルパブルな成分から構成されている。
【００１８】
図５の（Ｃ）はライナーを剥がした状態を示している。ライナーを剥がすと、３３と３４とが分離する。接着層３３が表れるので、この接着層３３を便器の便座に貼り付けると、便座の間に検便シートが貼られることになる。この検便シートの上に便を落とす。本発明によれば、便座から検便のために立ち上がっても、洗浄水７は検便シート１０までは届かない。この状態で検便し、検便が終了した検便シート１０を剥がして便器の中に落として水で流す。
【００１９】
図６は検便が終了した検便シートと便を落とす様子を示す図である。先ず検便が終了した検便シート１０と便２を便器内に落とす。その後、レバー又はプッシュ釦を操作して水を流す。すると、渦巻状の水流が発生する。この水流に便２と検便シート１０が流し込まれ、排水管２５から外部に排出される。
なお、検便シート１０の幅Ｗは、図５に示す接着部が複数設けられたもので決まる場合が多い。それだけ、検便シートの幅が広いということである。上述の実施例では、リパルパブルシート３０とその両端の接着部１０Ａ,１０Ｂを別々の部品で示したが、全面図５で示す接着層でリパルパブルシート３０を構成してもよい。
【産業上の利用可能性】
【００２０】
本発明によれば、自動噴射・自動排水方式のトイレであっても、確実に検便作業をすることができるので、本願発明の検便シートが広く行きわたるものと思われる。
【符号の説明】
【００２１】
１                  便器
２                  便
３                  検査棒
６                  便座
１０                検便シート
１０Ａ             接着部
１０Ｂ             接着部
１０ａ             ライナー
１０ｂ             リパルパブル接着剤
２０                お尻
２５                排水管
３０                リパルパブルシート
３１                第１の接着層
３２                非接着層
３３                第２の接着層
３４                リリースコート
３５                リリースライナー
【図１】
2020060577.tif 000003
【図２】
2020060577.tif 000004
【図３】
2020060577.tif 000005
【図４】
2020060577.tif 000006
【図５】
2020060577.tif 000007
【図６】
2020060577.tif 000008